(57)【要約】      （修正有）【課題】長期の使用によっても動作信頼性の高い可搬型錠装置の提供。【解決手段】錠ケース１と、一端が錠ケース１に進退可能に連結され、進退操作により他端を錠ケース１の錠杆嵌合凹部２に嵌合、離脱させて錠ケース１と協働して形成される閉ループを開閉する錠杆３と、施錠状態において錠杆３の進退操作を禁止して閉ループを維持するシリンダ錠４とを有し、錠杆３の錠杆嵌合凹部２への移動線とシリンダ錠４の回転中心線とが適宜間隔離れた平行位置に配置されるとともに、錠杆３はシリンダ錠４への施解錠回転操作力により駆動される。【選択図】図１
2008082021.tif 000002
【特許請求の範囲】
【請求項１】
錠ケースと、
一端が錠ケースに進退可能に連結され、進退操作により他端を錠ケースの錠杆嵌合凹部に嵌合、離脱させて錠ケースと協働して形成される閉ループを開閉する錠杆と、
施錠状態において錠杆の進退操作を禁止して閉ループを維持するシリンダ錠とを有し、
前記錠杆の錠杆嵌合凹部への移動線とシリンダ錠の回転中心線とが適宜間隔離れた平行位置に配置されるとともに、
錠杆は、シリンダ錠への施解錠回転操作力により駆動される可搬型錠装置。
【請求項２】
前記シリンダ錠の後端には円筒カムが連結されるとともに、錠ケースの側壁部にはループ開閉凹部が形成され、
かつ、前記錠杆は直杆状に形成されて円筒カムの従動節に連結され、ループ開閉凹部の対向する一対の壁面の一方から他方に向けて進退駆動される請求項１記載の可搬型錠装置。
【請求項３】
錠ケースは、一端が開放されたカム機構収容部を備え、
前記錠杆、円筒カム、および従動節は、前記開口端からカム機構収容部に挿入された後、開口端を開放不能に閉塞する蓋体により脱離を規制されてカム機構収容部内に収容されるとともに、
シリンダ錠は、錠ケースの他端面からカム機構収容部に連通するシリンダ収容孔に収容されて円筒カムに連結された後、適宜の抜け止め手段により抜け止めされる請求項２記載の可搬型錠装置。
【請求項４】
前記抜け止め手段は、錠杆嵌合凹部内に開放される作業孔からの抜け止め解除操作可能な請求項３記載の可搬型錠装置。
【請求項５】
前記抜け止め手段は、錠ケース内に形成され、一端が閉塞された杆挿通孔内でシリンダ錠との係脱位置間を移動自在な係止杆と、
錠杆嵌合凹部内に一端が開放されて杆挿通孔に交差するネジ孔にねじ込まれ、止着状態において係止杆をシリンダ錠との係止位置に拘束するネジとを有する請求項４記載の可搬型錠装置。
【発明の詳細な説明】
【技術分野】
【０００１】
本発明は可搬型錠装置に関するものである。
【背景技術】
【０００２】
施錠対象に予め固定されることなく、任意の施錠対象まで移動させることのできる可搬型錠装置としては、特許文献１に記載されたものが知られている。この従来例は、Ｕ字状の錠杆を備えたいわゆる南京錠であり、シリンダ錠を施錠状態にすることにより錠杆と錠ケースとで形成される閉ループの開放を規制する。
【０００３】
錠杆はスプリングにより錠ケースから脱離する方向に付勢されており、シリンダ錠を解錠操作すると、錠杆の一端が錠ケースから脱離して閉ループを開放し、施錠対象に対する拘束を解除する。
【特許文献１】特許第３８０４９５８号公報
【発明の開示】
【発明が解決しようとする課題】
【０００４】
しかし、上述した従来例において、錠装置には錠杆を解錠方向に付勢するためのスプリングが使用されているが、このスプリングは、使用状態、すなわち施錠状態においては圧縮状態に保持されているために、例えば、腐食性環境での長期の使用による応力腐食割れの発生等による動作不具合を起こす虞がある。
【０００５】
本発明は、以上の欠点を解消すべくなされたものであって、長期の使用によっても動作信頼性の高い可搬型錠装置の提供を目的とする。
【課題を解決するための手段】
【０００６】
可搬型錠装置は、一端が錠ケース１に脱離不能に連結される錠杆３を備え、錠杆３の他端を錠ケース１の錠杆嵌合凹部２に嵌合させることにより錠ケース１と協働して閉ループを構成する。閉ループ状態を保持し、錠杆３が挿通された施錠対象の抜去を不能にするために、錠ケース１にはシリンダ錠４が配置される。
【０００７】
シリンダ錠４は、施解錠回転操作時の回転中心が、錠杆３の錠杆嵌合凹部２への移動線に対して適宜間隔離れた平行位置に配置されており、錠杆３を施錠対象に挿通させた状態で、施錠対象とシリンダ錠４の回転中心線との間に適宜のスペースが確保される。この結果、例えば、施錠対象の近傍に扉面等があっても、シリンダ錠４に対する解錠操作スペースが確実に確保され、予め施錠対象の一方に固定されて使用される固定型錠装置と異なり、周辺の状態が予め特定することのできない可搬型錠装置としての使い勝手が向上する。
【０００８】
また、錠杆３はシリンダ錠４への回転操作力により駆動され、閉ループ形成時の錠杆３への操作力付与、さらには、閉ループ解除のためのスプリングを要しない。この結果、スプリングのへたり、破壊等による故障モードが発生することがなく、動作信頼性が向上する。
【０００９】
さらに、閉ループ形成、解除操作ともに錠杆３への直接操作が全く不要であるために、錠杆３を利用者による操作力付与が可能な形状、例えば上述した従来例のようにＵ字形状にする必要はない。このため、錠杆３は、錠ケース１に形成されたループ開閉凹部６の対向壁面間で進退する直杆として形成することが可能になる。この結果、施錠状態における錠杆３の露出領域を少なくすることができるために、錠杆３への攻撃を防止することができ、防犯性が向上する。
【００１０】
上述したように、施錠状態での錠杆３の露出量を減らすためには、錠杆３を錠ケース１に形成したループ開閉凹部６に進退させ、ループ開閉凹部６の壁面と錠杆３とにより閉ループを形成するように構成することが可能であり、この場合、錠杆３の進退駆動は、シリンダ錠４への回転操作を円筒カム５と従動節７により変換して行うことができる。
【００１１】
円筒カム５を利用して錠杆３を駆動する場合、一端が開放されたカム機構収容部８を錠ケース１に形成し、他端側にカム機構収容部８に連通するシリンダ収容孔１０を形成しておくと、円筒カム５、従動節７、錠杆３を連結させた状態で開放端からカム機構収容部８に挿入し、さらに、他端からシリンダ錠４を挿入した後、カム機構収容部８の開放端を閉塞することにより錠装置の組立が完了するために、組立作業性が向上する。
【００１２】
シリンダ収容孔１０に挿入されたシリンダ錠４を抜け止めする抜け止め手段１１は、例えば、抜去不能な打ち込みピン等を使用できるが、例えば、ねじ等、抜け止め解除操作の可能な抜け止め手段１１を使用すると、シリンダ錠４の交換が可能になる。
【発明の効果】
【００１３】
本発明によれば、長期に使用しても高い動作信頼性を維持することができる。
【発明を実施するための最良の形態】
【００１４】
図１に示すように、錠装置は、錠ケース１内にシリンダ錠４、錠杆３、円筒カム５、および従動節７を収容して形成され、図１（ｂ）に示すように、錠ケース１の端面に配置されるシリンダ錠４のキー挿入孔４ａから解錠キー１７を挿入して施解錠操作が行われる。
【００１５】
錠ケース１の前端面（以後、本明細書においてキー挿入孔４ａが開設される側を「前方」とする。）には枢軸１８ｂ周りに回転操作自在なカバープレート１８が装着されてシリンダ錠４のキー挿入孔内への塵埃等の浸入が防止される。カバープレート１８と錠ケース１の前端面には、シリンダ錠４を覆う位置にカバープレート１８を保持するためのクリック停止用凹凸１８ａが設けられる。
【００１６】
錠ケース１は、耐工具被切断性能に優れた硬質金属材料により形成されるボックス体で、ベース部１ａの前後端部から側方に膨隆する前後膨隆部１ｂ、１ｃ間にループ開閉凹部６を形成して平面視コ字形状をなす。
【００１７】
錠ケース１の後部膨隆部１ｃには、前後方向に長い錠杆挿通孔８ａが形成され、直杆状の錠杆３が挿入される。この錠杆挿通孔８ａは、後部膨隆部１ｃの前面壁、すなわち、ループ開閉凹部６の一対の対向壁面のうち、後方に位置する壁面から前方に開放される。
【００１８】
また、錠ケース１の前部膨隆部１ｂには、上記錠杆挿通孔８ａと一直線上に配置され、後端が前部膨隆部１ｂの後端面に開放された錠杆嵌合凹部２が開設される。この錠杆嵌合凹部２は、前方にさらに延長されて錠ケース１の前端面に開放され、延長部に上記カバープレート１８の枢軸１８ｂが脱離不能に挿入、固定される。
【００１９】
一方、錠ケース１のベース部１ａには、上記錠杆挿通孔８ａと平行にカム収容孔８ｂとシリンダ収容孔１０とが形成され、カム収容孔８ｂ内に、外周に螺旋状のカム溝５ａを備えた円筒カム５が収容される。シリンダ収容孔１０とカム収容孔８ｂとは境界壁１ｄに開設された連通孔１ｅを介して連通しており、円筒カム５の前端部に突設される連結突起５ｂが連通孔１ｅ内に挿入する。
【００２０】
上記カム収容孔８ｂと錠杆挿通孔８ａとは、フォロアー通過開口８ｃを介して連通されており、フォロアー通過開口８ｃ内に従動節７が収容される。従動節７は一端が円筒カム５のカム溝５ａに摺動自在に嵌合するとともに他端が錠杆３の後端部に連結され、円筒カム５が回転すると、従動節７が前後方向に並進移動し、結果、錠杆３が錠杆嵌合凹部２に向けて進退する。
【００２１】
錠ケース１の後部に配置されるカム収容孔８ｂ、フォロアー通過開口８ｃ、および錠杆挿通孔８ａからなるカム機構収容部８は、錠ケース１の後端に開放されており、円筒カム５、従動節７、錠杆３は、予めサブアッセンブルされた状態で後部開放端から挿入され、次いで、蓋体９を固定して脱離が防止される。蓋体９は、不正破壊操作により容易に脱落しないように、ピン９ａ等を使用して脱離不能に固定される。
【００２２】
シリンダ錠４は、シリンダケース４ｂ内にプラグ４ｃを回転自在に挿入して形成され、シリンダ収容孔１０の錠ケース１前端面への開放端から挿入される。シリンダ錠４は、シリンダケース４ｂの後端をカム収容孔８ｂとの隔壁に当接させて挿入方向の位置が規制されるとともに、図外の適宜の回り止め手段によりシリンダ収容孔１０内での空転が規制される。挿入状態でプラグ４ｃの後端に形成される連結突起４ｄは円筒カム５の連結突起５ｂの前端面に開設された連結凹部５ｃに嵌合し、プラグ４ｃと円筒カム５とが回転方向に連結される。
【００２３】
上記シリンダ錠４の抜去を規制するために、錠ケース１には係止杆１４とネジ１６とからなる抜け止め手段１１が設けられる。係止杆１４は中間部に太径部１４ａを形成した杆体で、錠ケース１に形成され、一端がシリンダ収容孔１０に開放される杆挿通孔１３内に移動自在に挿入される。係止杆１４を挿入するために錠ケース１の外周壁に開口された導入開口１ｆは、係止杆１４への不正な操作を防止するために、撤去不能な蓋部材１ｇを使用して閉塞される。
【００２４】
杆挿通孔１３のシリンダ収容孔１０への開口は、シリンダ収容孔１０に挿入したシリンダ錠４の抜け止め凹部４ｅに正対しており、係止杆１４は図１（ａ）に示す係止位置において一端が抜け止め凹部４ｅに嵌合し、シリンダ錠４のシリンダ収容孔１０からの抜去を規制する。
【００２５】
ネジ１６は、係止杆１４が開始位置にあるときに太径部１４ａに係止して係止杆１４の係止解除方向への移動を規制するもので、ネジ１６がねじ込まれるネジ孔１５の一端は錠杆嵌合凹部２内に開放されて作業孔１２とされる。ネジ孔１５は、上述したように、一端が錠杆嵌合凹部２内に開放され、かつ、ねじ込まれたネジ１６が係止杆１４の太径部１４ａに係止可能なように、杆挿通孔１３に斜めに交差するように形成されるが、ネジ孔１５の中心軸が後部膨隆部１ｃに干渉しない位置に配置して後述するようにドライバ等でのネジ１６操作が容易にできるようにするのが望ましく、係止杆１４の太径部１４ａは、ネジ孔１５が係る条件を充足する位置に設定される。
【００２６】
したがってこの実施の形態において、図１に示すように、シリンダ錠４が施錠状態にあるときには、錠杆３の一端は錠杆嵌合凹部２に嵌合し、錠杆３と錠ケース１により閉ループが構成される。この状態が施錠状態で、例えば扉１９に固定した第１金具１９ａを脱離自在に貫通する扉枠２０側の第２金具２０ａに錠杆３を挿通させた後、閉ループを形成すると、第２金具２０ａの錠杆３からの脱離が不能となるために、第１金具１９ａと第２金具２０ａの連結解除が不能となり、扉１９の開放操作が規制される。
【００２７】
錠杆３とシリンダ錠４とが適宜間隔離れているために、扉１９に装着した状態で扉１９表面とシリンダ錠４との間には適宜の間隔（Ｄ）が確保され、解錠キー１７を使用したシリンダ錠４の操作に支承を来さない。また、施錠状態においてカバープレート１８によりシリンダ錠４のキー挿入孔を覆っておくと、シリンダ錠４内部への塵埃の浸入が防止され、シリンダ錠４の寿命が長くなる。
【００２８】
図２に示すように、施錠状態からカバープレート１８を回転させて解錠キー１７を挿入し、プラグ４ｃを解錠位置に回転させると、円筒カム５の回転に従って従動節７、および錠杆３が後方に移動し、閉ループが解除される。
【００２９】
また、施錠状態において錠杆３により覆い隠されていたネジ孔１５は解錠状態において外部に露出するために、ネジ１６を抜去した後、シリンダ錠４を交換することができる。シリンダ錠４の交換は、図３（ａ）に示すように、まず、錠杆嵌合凹部２に開放されている作業孔１２からドライバ等を挿入してネジ１６を抜去した後、係止杆１４を上方に移動させて抜け止め凹部４ｅから離脱させ、次いで、図３（ｂ）に示すように、シリンダ錠４をシリンダ挿入孔から引き出して行われる。
【００３０】
図４に本発明の他の実施の形態を示す。なお、この実施の形態の説明において、上述した実施の形態と実質的に同一の構成要素は図中に同一符号を付して説明を省略する。
【００３１】
この実施の形態において、抜け止め手段１１はネジ杆２１により形成され、錠杆嵌合凹部２を貫通する杆挿通孔１３の雌ねじ部にねじ込まれる。ネジ杆２１は装着状態において先端がシリンダ錠４の抜け止め凹部４ｅに嵌合してシリンダ錠４のシリンダ収容孔１０からの抜去を防止する。
【００３２】
上記ネジ杆２１の着脱操作時の作業孔１２となる錠ケース１外部への開口を閉塞するとともに、シリンダ錠４内への塵埃の浸入を防止するために、錠ケース１の前端部には、合成ゴム等により形成されるカバー２２が装着される。
【００３３】
カバー２２は、錠ケース１の前端部に被せられ、内周壁面に形成された突条２２ａを錠ケース１の前部外周壁全周に渡って形成されるカバー装着凹溝１ｈに嵌合させて脱離が防止される。このカバー２２には周縁に切り込み２２ｂを入れた摘み部２２ｃが形成されており、摘み部２２ｃの背面から突出する圧入膨隆部２２ｄを錠ケース１のシリンダ収容孔１０の前端開放部に圧入させることにより、シリンダ錠４前端部を完全に覆い隠すことができる。
【００３４】
したがってこの実施の形態において、図４に示す施錠状態から、図５（ａ）に示すように、摘み部２２ｃを引き出してシリンダ錠４の前端を露出させることができる。この状態からシリンダ錠４に解錠キー１７を挿入して解錠方向に回転させると、錠杆３が後退して閉ループが解除される。
【００３５】
錠杆３が錠杆嵌合凹部２から退避した解錠状態において、図５（ｂ）に示すように、さらにカバー２２を取り外すと、施錠状態において錠杆３により覆われていたネジ杆２１の頭部が外部に露出するために、この頭部のスリ割りにドライバを差し込んで回転させると、シリンダ錠４の交換を行うことができる。
【図面の簡単な説明】
【００３６】
【図１】本発明を示す図で、（ａ）は断面図、（ｂ）は正面図である。
【図２】解錠状態を示す図で、（ａ）は断面図、（ｂ）は正面図である。
【図３】シリンダ錠の交換を示す図で、（ａ）はネジを取り去った状態を示す図、（ｂ）はシリンダ錠を取り去った状態を示す図である。
【図４】本発明の他の実施の形態を示す図で、（ａ）は断面図、（ｂ）は正面図である。
【図５】シリンダ錠の交換を示す図で、（ａ）は解錠状態を示す図、（ｂ）はシリンダ錠を取り去った状態を示す図である。
【符号の説明】
【００３７】
１        錠ケース
２        錠杆嵌合凹部
３        錠杆
４        シリンダ錠
５        円筒カム
６        ループ開閉凹部
７        従動節
８        カム機構収容部
９        蓋体
１０      シリンダ収容孔
１１      抜け止め手段
１２      作業孔
１３      杆挿通孔
１４      係止杆
１５      ネジ孔
１６      ネジ
【図１】
2008082021.tif 000003
【図２】
2008082021.tif 000004
【図３】
2008082021.tif 000005
【図４】
2008082021.tif 000006
【図５】
2008082021.tif 000007